【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段と、
前記画像形成手段により画像が形成されたシートに筋を付ける筋付手段と、
前記画像形成手段と前記筋付手段との間に設けられ、前記画像形成手段により画像が形成されたシートの表裏を反転させることが可能な第一反転手段と、
前記筋付手段により筋が付けられたシートに折り処理を行う折り手段と、
前記筋付手段と前記折り手段との間に設けられ、前記筋付手段により筋が付けられたシートの表裏を反転させることが可能な第二反転手段と、
前記画像形成手段により画像が形成されたシートを、該シートの筋付面に基づき前記第一反転手段に反転させ、前記画像形成手段により前記シートの画像形成面に画像が形成され且つ前記筋付手段により筋が付けられた前記シートを、前記折り手段による該シートの折り方法に応じて前記第二反転手段に反転させる制御手段と、
を有することを特徴とする画像形成システム。
【請求項２】
前記制御手段は、前記折り手段の仕様情報または折りジョブの内容に基づき前記折り方法を特定し、当該折り方法に基づき前記筋付手段から出力された前記シートの筋付面が外側となるように前記折り装置において前記シートが折られるかどうかを判定し、
前記制御手段は、前記筋付手段から出力された前記シートの前記筋付面が外側を向いていない場合に、前記筋付手段から出力された前記シートの表裏を前記第二反転手段により反転させてから前記折り手段に前記シートを搬送させ、前記筋付手段から出力された前記シートの前記筋付面が外側を向いている場合に、前記筋付手段から出力された前記シートの表裏を前記第二反転手段により反転させずに前記折り手段に前記シートを搬送させることを特徴とする請求項１に記載の画像形成システム。
【請求項３】
前記制御手段は、前記シートに適用されるプリントジョブに基づき前記画像形成手段から出力されるシートの画像形成面が上面か下面かを判定するとともに、前記筋付手段の仕様情報に基づき前記筋付面が上面か下面かを判定することで、前記画像形成面と前記筋付面とが一致するかどうかを判定するように構成されていることを特徴とする請求項１または２に記載の画像形成システム。
【請求項４】
前記制御手段は、前記プリントジョブがシートの両面に画像を形成する両面ジョブであれば、前記シートの画像形成面が下面であると判定し、前記プリントジョブがシートの片面にのみ画像を形成する片面ジョブであれば、前記シートの画像形成面が上面であると判定することを特徴とする請求項３に記載の画像形成システム。
【請求項５】
前記第一反転手段は前記シートをスイッチバックさせることで前記シートの表裏を反転させることを特徴とする請求項１ないし４のいずれか一項に記載の画像形成システム。
【請求項６】
前記第一反転手段は前記画像形成手段を備える画像形成装置の内部に設けられ、
前記第一反転手段は、前記シートの表面に形成される第一画像の印刷順序と前記シートの裏面に形成される第二画像の印刷順序を入れ替えることで、前記シートの表裏を反転させることを特徴とする請求項１ないし４のいずれか一項に記載の画像形成システム。
【請求項７】
前記折り手段は、前記シートを二つ折りするように構成されていることを特徴とする請求項１ないし６のいずれか一項に記載の画像形成システム。
【請求項８】
前記折り手段は、前記シートを折り、当該シートを表紙として製本するように構成されていることを特徴とする請求項１ないし６のいずれか一項に記載の画像形成システム。
【請求項９】
前記折り手段は、複数のシートを重ねてサドル折りするように構成されていることを特徴とする請求項１ないし６のいずれか一項に記載の画像形成システム。
【請求項１０】
前記第一反転手段に対して前記シートの搬送方向で下流側に前記筋付手段が接続されており、
前記筋付手段に対して前記シートの搬送方向で下流側に前記第二反転手段が接続されており、
前記第二反転手段に対して前記シートの搬送方向で下流側に一つ以上の前記折り手段が接続されていることを特徴とする請求項１ないし９のいずれか一項に記載の画像形成システム。
【請求項１１】
画像が形成されたシートに筋を付ける筋付手段に接続された画像形成装置であって、
シートに画像を形成する画像形成手段と、
前記画像形成手段と前記筋付手段との間に設けられ、前記画像形成手段により画像が形成されたシートの表裏を反転させることが可能な反転手段と、
前記画像形成手段により画像が形成されたシートを、該シートの筋付面に基づき前記反転手段に反転させる制御手段と
を有することを特徴とする画像形成装置。
【請求項１２】
前記画像形成装置から出力されるシートの二つの面のうちトナー画像が形成され、かつ、筋を付加されることが予定されている画像形成面と、前記筋付手段が前記シートの二つの面のうち筋を付ける面である筋付面とが一致するかどうかを判定する判定手段をさらに有し、
前記判定手段は、前記画像形成装置から前記画像形成面が下向きとなるように当該シートが排出されるプリントジョブが投入され、かつ、前記筋付手段が前記シートの下面に筋を付ける場合に、前記画像形成面と前記筋付面とが一致すると判定することを特徴とする請求項１１に記載の画像形成装置。
【請求項１３】
前記判定手段は、前記画像形成装置から前記画像形成面が上向きとなるように前記シートが排出されるプリントジョブが投入され、かつ、前記筋付手段が前記シートの上面に筋を付ける場合に、前記画像形成面と前記筋付面とが一致すると判定することを特徴とする請求項１２に記載の画像形成装置。
【請求項１４】
前記判定手段は、前記画像形成装置から前記画像形成面が下向きとなるように前記シートが排出されるプリントジョブが投入され、かつ、前記筋付手段が前記シートの上面に筋を付ける場合に、前記画像形成面と前記筋付面とが一致しないと判定することを特徴とする請求項１２または１３のいずれか一項に記載の画像形成装置。
【請求項１５】
前記判定手段は、前記画像形成装置から前記画像形成面が上向きとなるように前記シートが排出されるプリントジョブが投入され、かつ、前記筋付手段が前記シートの下面に筋を付ける場合に、前記画像形成面と前記筋付面とが一致しないと判定することを特徴とする請求項１２ないし１４のいずれか一項に記載の画像形成装置。
【請求項１６】
前記判定手段は、プリントジョブとしてシートの片面に画像を形成する片面ジョブが入力されると、前記画像形成装置から前記画像形成面が上向きとなるように当該シートが排出されると判定することを特徴とする請求項１２ないし１５のいずれか一項に記載の画像形成装置。
【請求項１７】
前記判定手段は、プリントジョブとしてシートの両面に画像を形成する両面ジョブが入力されると、前記画像形成装置から前記画像形成面が下向きとなるように当該シートが排出されると判定することを特徴とする請求項１２ないし１６のいずれか一項に記載の画像形成装置。
【請求項１８】
前記判定手段は、前記筋付手段の仕様情報に基づき前記画像形成面が下向きとなるかどうかを判定することを特徴とする請求項１２ないし１７のいずれか一項に記載の画像形成装置。
【手続補正２】
【補正対象書類名】明細書
【補正対象項目名】０００５
【補正方法】変更
【補正の内容】
【０００５】
本発明によれば、たとえば、
シートに画像を形成する画像形成手段と、
前記画像形成手段により画像が形成されたシートに筋を付ける筋付手段と、
前記画像形成手段と前記筋付手段との間に設けられ、前記画像形成手段により画像が形成されたシートの表裏を反転させることが可能な第一反転手段と、
前記筋付手段により筋が付けられたシートに折り処理を行う折り手段と、
前記筋付手段と前記折り手段との間に設けられ、前記筋付手段により筋が付けられたシートの表裏を反転させることが可能な第二反転手段と、
前記画像形成手段により画像が形成されたシートを、該シートの筋付面に基づき前記第一反転手段に反転させ、前記画像形成手段により前記画像形成面に画像が形成され且つ前記筋付手段により筋が付けられた前記シートを、前記折り手段による該シートの折り方法に応じて前記第二反転手段に反転させる制御手段と、を有する画像形成システムが提供される。